(57)【要約】【課題】主光が消失した後の初期に色の判別を行い易くて、暗順応が進んだ状態で明るく感じられる補助光を発する発光体を提供することが可能な発光体、照明用外装装置、及び照明装置を提供すること。【解決手段】照明装置１０１が、主光を出射する主発光部１１０と、主発光部１１０が消灯した後に発せられる補助光であって、短波長光とその短波長光よりも波長が長い長波長光の両方を含む期間が存在する補助光を発光する補助発光部１２５と、を備えるようにする。長波長光が、短波長光よりも先に消失するようにする。【選択図】図７
2019129114.tif 000002
【特許請求の範囲】
【請求項１】
主光を出射する主発光部と、
前記主発光部が消灯した後に発せられる補助光であって、短波長光とその短波長光よりも波長が長い長波長光の両方を含む期間が存在する前記補助光を発光する補助発光部と、を備え、
前記長波長光が、前記短波長光よりも先に消失する、発光体。
【請求項２】
前記主発光部を、前記主光を透過可能に取り囲むカバーを備え、
前記補助発光部には、前記カバーに塗布され、前記短波長光の光を発光する短波長用蓄光材料で構成される短波長蓄光部と、前記カバーに塗布され、前記長波長光の光を発光する長波長用蓄光材料で構成される長波長蓄光部が含まれ、
前記短波長用蓄光材料が発する光の残光時間が、前記長波長用蓄光材料が発する光の残光時間よりも長い、請求項１に記載の発光体。
【請求項３】
前記短波長光が、青緑から緑色に発光のピークをもつ光であり、前記長波長光が、橙から赤色に発光のピークをもつ光である、請求項１又は２に記載の発光体。
【請求項４】
前記短波長光と前記長波長光との合成光が、ＪＩＳ Ｚ ８７２７：１９９９に記載されている黒体軌跡からの偏差Ｄｕｖが＋２０から−２０までの白色光である期間が存在する、請求項１乃至３のいずれか１つに記載の発光体。
【請求項５】
前記長波長光は、短波長側の半値波長が５８０ｎｍ以上の光である、請求項１乃至４のいずれか１つに記載の発光体。
【請求項６】
主光を出射する主発光部を含む発光体を取り付ける主発光体取付部と、
前記主発光部が消灯した後に発せられる補助光であって、短波長光とその短波長光よりも波長が長い長波長光の両方を含む期間が存在する前記補助光を発光する補助発光部、及び前記補助光を発光する補助発光体であって、電力供給によって前記短波長光を出射する短波長光発光部と、電力供給によって前記長波長光を出射する長波長光発光部とを含む前記補助発光体を、取り付ける補助発光体取付部のうちの少なくとも一方と、を備え、
前記長波長光が、前記短波長光よりも先に消失する、照明用外装装置。
【請求項７】
前記補助発光部を備え、
前記補助発光部には、前記主光が到達する箇所に配置され、前記短波長光の光を発光する短波長用蓄光材料で構成される短波長蓄光部と、前記主光が到達する箇所に配置され、前記長波長光の光を発光する長波長用蓄光材料で構成される長波長蓄光部が含まれ、
前記短波長用蓄光材料が発する光の残光時間が、前記長波長用蓄光材料が発する光の残光時間よりも長い、請求項６に記載の照明用外装装置。
【請求項８】
前記短波長用蓄光材料及び前記長波長用蓄光材料が、塗布されたシェードを備える、請求項７に記載の照明用外装装置。
【請求項９】
前記短波長用蓄光材料及び前記長波長用蓄光材料が、塗布されたカバーを備える、請求項７に記載の照明用外装装置。
【請求項１０】
車両の内部に取り付けられ、
前記車両のドアが開かれたとき、前記主発光部を発光させる一方、前記ドアが閉じられたとき、前記主発光部を消灯させる制御を行う制御部を備える、請求項７又は９に記載の照明用外装装置。
【請求項１１】
前記補助発光体取付部と、
前記主発光部が消灯した後において、前記短波長光発光部に電力を供給する期間を、前記長波長光発光部に電力を供給する期間よりも長時間とする制御を行う制御部と、
を備える、請求項６又は７に記載の照明用外装装置。
【請求項１２】
前記短波長光が、青緑から緑色に発光のピークをもつ光であり、前記長波長光が、橙から赤色に発光のピークをもつ光である、請求項６乃至１１のいずれか１つに記載の照明用外装装置。
【請求項１３】
前記短波長光と前記長波長光との合成光が、ＪＩＳ Ｚ ８７２７：１９９９に記載されている黒体軌跡からの偏差Ｄｕｖが＋２０から−２０までの白色光である期間が存在する、請求項６乃至１２のいずれか１つに記載の照明用外装装置。
【請求項１４】
前記長波長光は、短波長側の半値波長が５８０ｎｍ以上の光である、請求項６乃至１３のいずれか１つに記載の照明用外装装置。
【請求項１５】
請求項１乃至５のいずれか１つに記載の発光体、及び請求項６乃至１４のいずれか１つに記載の照明用外装装置のうちの少なくとも一方を備える、照明装置。
【発明の詳細な説明】
【技術分野】
【０００１】
本開示は、電力の供給によって発光する発光部を備える発光体に関する。また、本開示は、発光体が取り付けられる照明用外装装置に関する。また、本開示は、発光体と、照明用外装装置を備える照明装置に関する。
【背景技術】
【０００２】
従来、蓄光材料としては、特許文献１に記載されているものがある。この蓄光材料は、青色から青緑色の燐光を発光し、例えば、ＬＥＤ電球等の光源のグローブの外面に塗布される。発光体を、光源と、上記外面に塗布された蓄光材料からなる蓄光部で構成すると、その発光体は、光源が消灯した後も発光する。よって、光源の消灯後も明かりを確保できる。
【先行技術文献】
【特許文献】
【０００３】
【特許文献１】特開平９−２４１６３１号公報
【発明の概要】
【発明が解決しようとする課題】
【０００４】
青緑色の光は、暗所視や薄明視での感度がよく、人が暗い所でも明るく感じるという利点を有する。しかし、人の目が暗所に順応するまで３０分から１時間程度の時間を必要とし、目の暗順応が十分でない状況では、青緑色の光の発光は、あまり効果的ではない。また、青緑色の光は、色を見分けにくいという性質を有するため、物を探すニーズが生じ易い光源の消灯直後に、物を判別しにくくなって、不都合を生じ易い。
【０００５】
そこで、本開示の目的は、主光が消失した後の初期に色の判別を行い易くて、暗順応が進んだ状態で明るく感じられる補助光を発する発光体を提供することにある。また、本開示の目的は、主光が消失した後の初期に色の判別を行い易くて、暗順応が進んだ状態で明るく感じられる補助光が発光可能となる照明用外装装置、及び照明装置を提供することにある。
【課題を解決するための手段】
【０００６】
上記課題を解決するため、本開示に係る発光体は、主光を出射する主発光部と、主発光部が消灯した後に発せられる補助光であって、短波長光とその短波長光よりも波長が長い長波長光の両方を含む期間が存在する補助光を発光する補助発光部と、を備え、長波長光が、短波長光よりも先に消失する。
【０００７】
なお、本明細書では、発光体を、電力の供給によって発光する発光部を備える装置として定義する。発光体には、ＬＥＤ電球、白熱電球、ＬＥＤ蛍光灯、及び蛍光灯が含まれる。また、発光体には、基板、基板に実装された短波長光発光部、及び基板に実装された長波長光発光部を備える装置が含まれ、この場合、発光体は、一つの一体の部分からなってもよく、互いに別体の２以上の部分を備えてもよい。
【０００８】
また、本開示に係る照明用外装装置は、主光を出射する主発光部を含む発光体を取り付ける主発光体取付部と、主発光部が消灯した後に発せられる補助光であって、短波長光とその短波長光よりも波長が長い長波長光の両方を含む期間が存在する補助光を発光する補助発光部、及び補助光を発光する補助発光体であって、電力供給によって短波長光を出射する短波長光発光部と、電力供給によって長波長光を出射する長波長光発光部とを含む補助発光体を、取り付ける補助発光体取付部のうちの少なくとも一方と、を備え、長波長光が、短波長光よりも先に消失する。
【発明の効果】
【０００９】
本開示に係る発光体、照明用外装装置、及び照明装置によれば、主光が消失した後の初期に色の判別を行い易くて、暗順応が進んだ状態で明るく感じられる補助光を発することが可能になる。
【図面の簡単な説明】
【００１０】
【図１】第１実施形態の照明装置の要部の模式断面図である。
【図２】短波長用蓄光材料及び長波長用蓄光材料の夫々が発する燐光の分光分布を示す図である。
【図３】光源の消灯直後において、短波長用蓄光材料が発する燐光と、長波長用蓄光材料が発する燐光とが重ね合わされることで生成される合成光の分光分布を示す図である。
【図４】実施例の光の下でのＪＩＳ−Ｚ８７２６（１９９０）に定められた試験色Ｎｏ.９（赤）、Ｎｏ.１０（黄）、Ｎｏ.１１（緑）、Ｎｏ.１２（青）の見え方を示す図である。
【図５】第１実施例の光、比較例１の緑の光、比較例２の赤の光、及び比較例３の白ＬＥＤの光の夫々の光の性質をまとめた図である。
【図６】視感効率と光の波長との関係を説明するための図である。
【図７】第２実施形態の照明装置の要部の構成を表す概略構成図である。
【図８】第２実施形態の照明装置において制御に関連する部位のブロック図である。
【図９】第２実施形態の照明装置の制御部による補助発光部の制御のフローチャートの一例である。
【図１０】主発光部から出射される光の分光分布と、補助発光部から出射される光の分光分布を表す図である。
【図１１】光を出射する発光部がＬＥＤの場合における図４に対応するグラフである。
【図１２】光を出射する発光部がＬＥＤの場合における図５に対応するグラフである。
【発明を実施するための形態】
【００１１】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。
【００１２】
（第１実施形態）
図１は、第１実施形態の照明装置１の要部の模式断面図である。図１を参照して、照明装置１は、発光体としての光源１０、及び照明用外装装置（以下、外装装置という）２０を備え、外装装置２０は、本体３０、及びカバー４０を有する。光源１０は、白熱電球、ＬＥＤ電球、蛍光灯、又はＬＥＤ蛍光灯等で構成され、例えば、図示しない基板と、基板に実装されたＬＥＤ（Light Emitting Diode）等の発光素子を含む。光源１０は、本体３０の主発光体取付部（図示せず）に着脱可能に取り付けられる。光源１０から出射される光は、主光を構成する。
【００１３】
本体３０は、図示しない電源装置と、駆動回路と、図示しない制御部を有する。電源装置は、商用電源や車両のバッテリ等の電力源からの入力
1516942056459_0
を仕様に基づいて適切に変換して出力電力を生成し、出力電圧を光源１０に供給する。駆動回路は、電源装置と光源１０の間に電気的に接続され、スイッチング部を有する。スイッチング部は、制御部からの信号に基づいてオンオフ制御され、例えば、トランジスタ等で構成される。スイッチング部がオン制御されると、電力源からの電力が電源装置を介して光源１０に供給され、発光素子が点灯する。他方、スイッチング部がオフ制御されると、電力源から電力が光源１０に供給されず、光源１０が消灯する。
【００１４】
制御部は、例えば、マイクロコンピュータによって好適に構成される。制御部は、ＣＰＵ（Central Processing Unit）と、ＲＡＭ(Random Access Memory)、ＲＯＭ(Read Only Memory)等の記憶部とを備える。ＣＰＵは、記憶部に予め記憶されたプログラム等を読み出して実行する機能を有する。ＲＡＭは、読み出したプログラムや処理データを一時的に記憶する機能を有する。また、ＲＯＭは、制御プロラムや所定の閾値等を予め記憶する機能を有する。制御部は、マイクロコンピュータによって実行されるソフトウエアによって実現できるが、その一部がハードウエアによって構成されてもよい。
【００１５】
カバー４０は、例えば、ポリカーボネイト系樹脂等の透光性を有する材料で構成され、光源１０を覆うように本体３０に取り付けられる。外装装置２０は、更に、短波長蓄光部３１、及び長波長蓄光部３２を備える。短波長蓄光部３１及び長波長蓄光部３２は、補助発光部を構成する。短波長蓄光部３１は、カバー４０の内面に塗布され、短波長用蓄光材料で構成される。また、長波長蓄光部３２は、カバー４０の内面に塗布され、長波長用蓄光材料で構成される。図１に示す例では、短波長蓄光部３１及び長波長蓄光部３２が、カバー４０の内面に配置されるので、物体がカバー４０の外面へ接触しても、短波長蓄光部３１及び長波長蓄光部３２が剥がれにくくて好ましい。しかし、短波長蓄光部及び長波長蓄光部は、カバーの外面に配置されてもよい。
【００１６】
光源１０は、短波長蓄光材料及び長波長蓄光材料を励起可能な励起波長を有する可視光を出射する。光源１０が出射する光は、短波長蓄光材料及び長波長蓄光材料を励起可能な励起波長を有する紫外光を含んでもよい。短波長用蓄光材料は、光源１０からの光で励起すると、短波長光を発光し、長波長用蓄光材料は、励起すると、短波長光よりも波長が長い長波長光を発光する。短波長光及び長波長光は、可視光である。本実施例では、短波長用蓄光材料は、緑から青緑色にピークをもつ光を発光し、長波長用蓄光材料は、黄橙から赤色にピークをもつ光を発光する。短波長用蓄光材料が発する短波長光の残光時間が、長波長用蓄光材料が発する長波長光の残光時間よりも長くなっている。
【００１７】
短波長用蓄光材料及び長波長用蓄光材料としては、様々なものを使用でき、例えば、硫化カルシウム、硫化亜鉛、硫化亜鉛カドミウム等の硫化物蛍光体や、ストロンチウム、ユウロピウムやジスプロシウムを含むアルミン酸塩蛍光体等を使用出来る。短波長用蓄光材料及び長波長用蓄光材料は、多種多様存在する蓄光材料のうちで上記要件を満たす材料で構成される。
【００１８】
図２は、短波長用蓄光材料及び長波長用蓄光材料の夫々が発する燐光の分光分布を示す図である。また、図３は、光源１０の消灯直後において、短波長用蓄光材料が発する燐光と、長波長用蓄光材料が発する燐光とが重ね合わされることで生成される合成光の分光分布を示す図である。図２に示すように、本実施例では、短波長光、すなわち、緑から青緑色にピークをもつ光は、相対強度がピークとなる波長が５００ｎｍ〜５４０ｎｍの範囲内に存在する。また、長波長光、すなわち、黄橙から赤色にピークをもつ光は、相対強度がピークとなる波長が６００ｎｍ〜６３０ｎｍの範囲内に存在する。また、長波長光に関し、ピーク光強度の５０％の光強度となる半値波長は、短波長側の波長ａが、５８０ｎｍ以上となっている。また、図３に示すように、合成光では、短波長光の相対強度がピークの波長と長波長光の相対強度がピークの波長に、相対強度の極大部が存在する。合成光は、ＪＩＳ Ｚ ８７２７：１９９９に記載されている黒体軌跡からの偏差Ｄｕｖが＋２０から−２０までの白色光となっている。合成光は、補助光を構成する。
【００１９】
照明装置１は、次のように動作する。詳しくは、人が操作部を用いて、スイッチング部をオンにすることを表す信号を制御部に入力すると、光源１０が点灯する。すると、光源１０からの光を受けた短波長用蓄光材料及び長波長用蓄光材料が、受けた光からのエネルギーで励起状態となる。その後、人による操作部の消灯動作や停電により、光源部１１が消灯すると、短波長用蓄光材料が、エネルギーを放出して緑から青緑色の光を発し、長波長用蓄光材料が、エネルギーを放出して黄橙から赤色の光を発する。光源１０が消灯した直後においては、照明装置１は、図３に示す白色の合成光の燐光を発する。短波長用蓄光材料が発する短波長光の強度も、長波長用蓄光材料が発する長波長光の強度も、光源１０が消灯してからの時間の経過とともに徐々に小さくなる。しかし、短波長用蓄光材料が発する短波長光の残光時間が、長波長用蓄光材料が発する長波長光の残光時間よりも長くなっているので、長波長光が先に消失する。その結果、光源１０が消灯してからある程度時間が経つと、照明装置１が発する燐光が、短波長光、すなわち、緑から青緑色にピークをもつ光のみとなる。
【００２０】
次に、明るさと人の目の感度の関係について説明する。人の目の分光感度は周辺の明るさによって変化する。これは明るいところでは錐体がはたらき、暗いところでは桿体がはたらくためである。明所での感度のピークは、５５５ｎｍ（黄〜黄緑）であり、暗所での感度のピークは、５０７ｎｍ（緑〜青緑）である。暗所視とは、輝度０.０００００１ｃｄ／ｍ２の間で生じ、色覚は、生じない。他方、明所視とは、輝度１ｃｄ／ｍ２以上で生じる。この間の０.０１ｃｄ／ｍ２から１ｃｄ／ｍ２は、薄明視であり、感度のピークは、明所視と暗所視の間をシフトしていく。薄明視では，明所視ほど正確ではないが色を識別することもできる。このような現象は、プルキンエ現象としてよく知られている。
【００２１】
また、明順応は、３０秒から１分で完了するが、暗順応は３０分から１時間かかる。このことから、薄明視〜暗所視の感度に合わせた光を用いることは、一見、効果的であるが、暗順応には時間がかかるため、消灯直後にはあまり意味が無い。また、色の判別が可能な薄明視レベルの明るさを確保できていても、青緑色の光は、色の区別をしにくいという性質を有する。したがって、青緑色の光の下では、空間内におかれたものの色の見分けがつかなくなり、例えば、目立つようにつけておいた赤色の目印が黒く見えてしまう。
【００２２】
図４は、実施例の光の下でのＪＩＳ−Ｚ８７２６（１９９０）に定められた試験色Ｎｏ.９（赤）、Ｎｏ.１０（黄）、Ｎｏ.１１（緑）、Ｎｏ.１２（青）の見え方を示す図である。図４に示すように、白ＬＥＤから出射された白色光の下では、赤色色票、黄色色票、緑色色票、及び青色色票は、夫々、赤色、黄色、緑色、及び青色に近しい色に認識される。また、緑色燐光の光の下では、赤の試験色の色度が、原点付近に位置し、赤色が暗い灰色にしか見えず、また、他の試験色の色度も、原点付近に位置することから、色が判別されにくくなる。また、赤色燐光の光の下では、全ての色票が、赤側にシフトし、色が赤に近しい色に見え易くなる。他方、赤色燐光と緑色燐光とを合成した合成光の燐光の下では、４色の試験色の色度が離れ、各試験色の色度が、原点から離れた位置でかつその試験色に対応する色に近接する領域に位置する。よって、赤色燐光と緑色燐光とを合成した合成光の燐光の下では、白色光ほどではないものの、人が各試験色の色を正しく認識し易い。
【００２３】
図５は、第１実施例の光、比較例１の緑の光、比較例２の赤の光、及び比較例３の白ＬＥＤの光の夫々の光の性質をまとめた図である。図５において、Ｄｕｖとは、ＪＩＳ Ｚ ８７２７：１９９９に記載されている黒体軌跡からの偏差を示す。また、Ｓ／Ｐ比とは、薄明視環境下での光源の明るさ感を評価する公知の客観的な指標である。Ｓ／Ｐ比が、高い光源ほど薄明視環境下での視感的明るさ感が高くなる。Ｓ／Ｐ比は、Ｓ／Ｐ比＝Ｌｓ／Ｌｐで算出される。ここで、Ｌｓは、暗所視輝度を表し、Ｌｓ＝∫S(λ)×V´(λ)dλと表される。また、Ｌｐは、明所視輝度を表し、Ｌｐ＝∫S(λ)×V(λ)dλと表される。また、S（λ）は、光源の分光放射強度であり、V´(λ)は、暗所視分光視感効率であり、V(λ)は、明所視分光視感度効率である。
【００２４】
Ｓ／Ｐ比に関する指標の優劣を、比較例３の白ＬＥＤの光を基準に考えると、比較例１の緑色の光の場合は、Ｓ／Ｐ比に優れて、薄明視での明るさ感に優れる一方、上述のように色が見分けにくい。また、比較例２の赤色の光の場合は、Ｓ／Ｐ比が低く、薄明視での明るさ感が劣り、上述のように色も見分けにくい。
【００２５】
これに対し、第１実施例の光の場合、光源１０の消灯直後の期間においては、色の見分け特性に優れる。また、残光時間の末期の期間においては、緑色の光だけが残っているので、Ｓ／Ｐ比が高く、薄暗いときの明るさ感に優れる。第１実施例の光は、光源１０の消灯直後の期間においては、Ｓ／Ｐ比があまり良くないが、上述のように、暗順応に３０分から１時間かかることを考えると、光源１０の消灯直後の期間においてＳ／Ｐ比があまり良くないことは、殆ど悪影響を及ぼさない。その結果、第１実施例の光は、光源１０の消灯直後の期間においては、色の見分け特性に優れ、残光時間の末期の期間においては、明るさ感に優れるという優れた特性を有する。
【００２６】
以上、第１実施形態の外装装置２０は、主光を出射する光源１０を取り付ける主発光体取付部を備える。また、外装装置２０は、主発光体取付部に取り付けられた光源１０が、消灯した後に発せられる補助光であって、短波長光とその短波長光よりも波長が長い長波長光の両方を含む期間が存在する補助光を発光する短波長蓄光部３１及び長波長蓄光部３２を備える。また、長波長光が、短波長光よりも先に消失する。
【００２７】
本構成によれば、光源１０の消灯直後は、短波長蓄光部３１及び長波長蓄光部３２からなる補助発光部が、緑〜青緑色の光と黄橙〜赤色の光を発しているため、照らされた空間内の物体の色を見分け易い。他方、光源１０の消灯から所定時間が経過し、燐光の発光輝度が低下する後半は、燐光が緑〜青緑色の光のみにシフトしていくため、人が燐光を明るく感じることができる。したがって、照明装置１が、主光が消失した後の初期に色の判別を行い易くて、暗順応が進んだ状態で明るく感じられる補助光を発することができる。
【００２８】
また、該補助発光部には、光源１０からの主光が到達する箇所に配置される短波長蓄光部３１と、光源１０からの主光が到達する箇所に配置される長波長蓄光部３２が含まれてもよい。また、短波長蓄光部３１が、短波長光の光を発光する短波長用蓄光材料で構成され、長波長蓄光部３２が、長波長光の光を発光する長波長用蓄光材料で構成されてもよい。また、短波長用蓄光材料が発する光の残光時間が、長波長用蓄光材料が発する光の残光時間よりも長くてもよい。
【００２９】
上記構成によれば、当該補助光を発光する照明装置１を簡単安価に構成できる。
【００３０】
また、照明装置１は、短波長用蓄光材料及び長波長用蓄光材料が塗布されたカバー４０を備えてもよい。
【００３１】
上記構成によれば、短波長用蓄光材料及び長波長用蓄光材料を照明装置１の広範囲な領域に塗布し易くなる。したがって、照明装置１が発する燐光を、広範囲に到達させ易くなる。なお、この場合、照明装置が、筒状のカバーを備える直管型照明装置であると、燐光を、直管型照明装置の全体から発することが可能となって広範囲に到達させるという作用効果を顕著なものとできる。
【００３２】
また、短波長光が、青緑から緑色に発光のピークをもつ光であり、長波長光が、橙から赤色に発光のピークをもつ光であってもよい。
【００３３】
上記構成によれば、光源１０の消灯直後に色の判別をし易くなり、特に赤色の物体を見つけ易くなる。また、暗順応が進み、かつ、光源１０の消灯から所定時間が経過し、燐光の発光輝度が低下する後半は、暗所視感度の高い青緑から緑色の光が出力されているため、人が燐光を明るく感じることができる。
【００３４】
また、短波長光と長波長光との合成光が、主発光部の消灯の直後に、ＪＩＳ Ｚ ８７２７：１９９９に記載されている黒体軌跡からの偏差Ｄｕｖが＋２０から−２０までの白色光となっていてもよい。
【００３５】
上記構成によれば、光源１０の消灯直後の視環境を、違和感の小さい視環境とできる。
【００３６】
また、長波長光は、短波長側の半値波長が５８０ｎｍ以上の光であってもよい。
【００３７】
図６は、視感効率と光の波長との関係を表す図である。図６を参照して、実線８０で示す明所視分光視感効率と、点線８１で示す暗所視分光視感効率の重なり領域（斜線で示す領域）８２が大きくなればなる程、桿体が刺激され易くなり、人の目は暗順応に対応しにくくなる。これに対し、上記構成によれば、長波長光は、短波長側の半値波長が５８０ｎｍ以上の光である。したがって、重なり領域８２が小領域になるか又は存在しない。よって、長波長蓄光材料からの長波長光が桿体を刺激しにくいか又は刺激しないため、長波長光が目の暗順応に悪影響を及ぼすことを抑制できるか又は防止できる。
【００３８】
なお、第１実施形態では、短波長光が、青緑から緑色に発光のピークをもつ光であり、長波長光が、橙から赤色に発光のピークをもつ光である場合について説明した。しかし、短波長光は、青緑から緑色に発光のピークをもつ光以外の光であってもよく、長波長光は、橙から赤色に発光のピークをもつ光以外の光であってもよい。また、短波長光と長波長光との合成光が、主発光部の消灯の直後に、ＪＩＳ Ｚ ８７２７：１９９９に記載されている黒体軌跡からの偏差Ｄｕｖが＋２０から−２０までの白色光である場合について説明した。しかし、短波長光と長波長光との合成光は、主発光部の消灯の直後に、ＪＩＳ Ｚ ８７２７：１９９９に記載されている黒体軌跡からの偏差Ｄｕｖが＋２０から−２０までの白色光でなくてもよい。また、長波長光が、短波長側の半値波長が５８０ｎｍ以上の光である場合について説明した。しかし、長波長光は、短波長側の半値波長が５８０ｎｍより小さい波長であってもよい。要は、長波長光は、短波長光よりも大きな波長を有し、長波長光の残光時間が、短波長光の残光時間よりも短ければよい。
【００３９】
また、蓄光材料が、それが含まれる照明装置１の光で励起される場合について説明したが、蓄光材料は、自然光や、他の照明器具などからの光によって励起されてもよい。また、補助発光部を、２種類の蓄光材料、すなわち、短波長用蓄光材料と長波長用蓄光材料で構成する場合について説明した。しかし、補助発光部は、３以上の互いに異なる蓄光材料で構成されてもよい。
【００４０】
また、短波長用蓄光材料と長波長用蓄光材料を含む混合蓄光材料がカバー４０に塗布される場合について説明した。しかし、混合蓄光材料は、外装装置に含まれる笠（シェード）の内面に塗布されてもよく、この場合、主発光部の消灯後、燐光を広い範囲に広がることができて好ましい。又は、混合蓄光材料は、非常灯、誘導灯の内面又は外面に塗布されてもよく、ダウンライトの光反射面等に塗布されてもよい。又は、混合蓄光材料は、光源を点灯しているときに所望の演色性や光色の光を得るための波長変換材料を含むフィルタやカバーに塗布されてもよい。
【００４１】
又は、混合蓄光材料は、光源、例えば、ＬＥＤ電球、白熱電球、ＬＥＤ蛍光灯、又は蛍光灯等、に塗布されてもよい。詳しくは、光源が、ＬＥＤやフィラメント等の主発光部と、主発光部を覆う透光性を有するグローブ（カバー）を備え、混合蓄光材料は、グローブ（カバー）の内面及び外面のうちの少なくとも一方に塗布されて補助発光部を構成してもよい。そして、発光体が、光源と、補助発光部を備えてもよい。また、そのような発光体において、短波長光が、青緑から緑色に発光のピークをもつ光であってもよく、長波長光が、橙から赤色に発光のピークをもつ光であってもよい。また、そのような発光体において、短波長光と長波長光との合成光が、ＪＩＳ Ｚ ８７２７：１９９９に記載されている黒体軌跡からの偏差Ｄｕｖが＋２０から−２０までの白色光であってもよい。また、そのような発光体において、長波長光が、短波長側の半値波長が５８０ｎｍ以上の光であってもよい。又は、混合蓄光材料は、光源におけるグローブ（カバー）以外の部分に塗布されてもよい。発光体は、外装装置に対して着脱可能に取り付けられ、単独で販売されることができる。したがって、それらの発光体を構成すると、混合蓄光材料を外装装置２０のカバー４０に塗布した場合における対応する変形例と同様の作用効果を、既存の照明装置において発光体を交換するだけで簡単安価に実現でき、顕著な作用効果を獲得できる。
【００４２】
（第２実施形態）
第１実施形態では、補助発光部を、混合蓄光材料を光源や外装装置本体に塗布することで構成した。しかし、補助発光部を、励起によって燐光を発する蓄光部で構成する替わりに、電力によって発光する発光部で構成しても同様の作用効果を獲得できることは言うまでもない。以下、補助発光部が、電力供給により短波長光を出射する短波長光発光部と、短波長光よりも波長が長い長波長光を電力供給により出射する長波長光発光部を備える場合について説明する。なお、第２実施形態では、第１実施形態と同様の作用効果については説明を省略する。
【００４３】
図７は、第２実施形態の照明装置１０１の要部の構成を表す概略構成図である。図７に示すように、照明装置１０１は、主発光部１１０、補助発光部１２５、リチウムイオン電池や畜電池等で構成される二次電池１４５、及び制御部１７０を備え、補助発光部１２５は、短波長光発光部１３１と、長波長光発光部１３２を含む。主発光部１１０は、発光体に含まれ、短波長光発光部１３１と、長波長光発光部１３２は、補助発光体に含まれる。照明装置１０１は、発光体と、外装装置を備え、外装装置には、二次電池１４５、発光体を取り付ける主発光体取付部、補助発光体を取り付ける補助発光体取付部、及び制御部が、含まれる。
【００４４】
主発光部１１０は、例えば、ＪＩＳ Ｚ ８７２７：１９９９に記載されている黒体軌跡からの偏差Ｄｕｖが＋２０から−２０までの白色ＬＥＤで構成される。また、例えば、短波長光発光部１３１は、ピーク波長が５１５ｎｍである緑色ＬＥＤで構成され、長波長光発光部１３２は、ピーク波長が６３５ｎｍである赤色ＬＥＤで構成される。しかし、主発光部、短波長光発光部、及び長波長光発光部は、短波長光発光部が長波長光発光部よりも波長が短い光を出射するという条件を満たせば、それら以外の如何なる光を出射してもよい。
【００４５】
商用電源やバッテリ等の電力源からの入力
1516942056459_1
は、図示しない電源装置で変換され、変換後の出力電圧は、主発光部１１０の駆動回路を介して主発光部１１０に入力される。また、電力源からの入力電圧は、電源装置で変換され、変換後の出力電圧が、二次電池１４５の充電回路を介して、二次電池１４５に入力され、二次電池１４５が充電される。主発光部１１０の駆動回路への入力電圧は、充電回路の入力電圧と同一でもよく、充電回路の入力電圧と異なっていてもよい。また、二次電池１４５の出力部は、短波長光発光部１３１の駆動回路を介して短波長光発光部１３１に電気的に接続されると共に、長波長光発光部１３２の駆動回路を介して長波長光発光部１３２に電気的に接続される。
【００４６】
図８は、照明装置１０１において制御に関連する部位のブロック図である。図８を参照して、制御部１７０は、第１実施形態と同様の構成を有し、記憶部１７１を有する。また、制御部１７０は、タイマ１７２を有し、計時可能になっている。制御部１７０は、操作部、例えば、リモコンやスイッチ紐等から主発光部１１０の点灯又は消灯を表す信号を受ける。また、制御部１７０は、操作部からの信号に基づいて、主発光部駆動回路のスイッチ部１７５、短波長発光部駆動回路のスイッチ部１７６、長波長発光部駆動回路のスイッチ部１７７、及び二次電池充電用回路のスイッチ部１７８のオンオフ制御を行う。
【００４７】
スイッチ部１７５がオン制御されると、電力が主発光部１１０に供給され、主発光部１１０が発光する。他方、スイッチ部１７５がオフ制御されると、主発光部１１０への電力供給が遮断され、主発光部１１０が消灯する。また、スイッチ部１７６がオン制御されると、電力が二次電池１４５から短波長光発光部１３１に供給され、短波長光発光部１３１が発光する。他方、スイッチ部１７６がオフ制御されると、二次電池１４５から短波長光発光部１３１への電力供給が遮断され、短波長光発光部１３１が消灯する。また、スイッチ部１７７がオン制御されると、電力が二次電池１４５から長波長光発光部１３２に供給され、長波長光発光部１３２が発光する。他方、スイッチ部１７７がオフ制御されると、二次電池１４５から長波長光発光部１３２への電力供給が遮断され、長波長光発光部１３２が消灯する。また、スイッチ部１７８がオン制御されると、電力が二次電池１４５に供給され、二次電池１４５が充電される。他方、スイッチ部１７８がオン制御されると、二次電池１４５への電力供給が遮断される。主発光部１１０が点灯している状態では、制御部１７０は、スイッチ部１７５、及びスイッチ部１７８をオン制御する一方、スイッチ部１７６、及びスイッチ部１７７をオフ制御する。その結果、主発光部１１０が点灯している状態では、二次電池１４５が充電され、短波長光発光部１３１及び長波長光発光部１３２が点灯しない。
【００４８】
次に、図９に示すフローチャートを用いて制御部１７０による補助発光部１２５の制御の一例について説明する。図９を参照して、制御部１７０が操作部１７４から主発光部１１０の消灯を表す信号を受けると、補助発光部１２５の制御がスタートする。そして、ステップＳ１で、制御部１７０が、主発光部駆動回路のスイッチ部１７５のオフ制御、短波長及び長波長発光部駆動回路のスイッチ部１７６,１７７のオン制御、及び二次電池充電用回路のスイッチ部１７８のオフ制御を行う。その結果、主発光部１１０が消灯し、二次電池１４５が、短波長及び長波長光発光部１３１,１３２に電力を放電し、短波長及び長波長光発光部１３１,１３２が点灯する。
【００４９】
図１０に示す実線は、主発光部１１０の消灯直後に補助発光部１２５から出射される光の分光分布である。図１０に示すように、この光は、５８０ｎｍの成分が略零となる分光分布を有する。この光は、例えば、ＪＩＳ Ｚ ８７２７：１９９９に記載されている黒体軌跡からの偏差Ｄｕｖが＋２０から−２０までの白色光に調整されると好ましいが、それ以外の光に調整されてもよい。
【００５０】
図１１は、光を出射する発光部がＬＥＤの場合における図４に対応するグラフである。第２実施例では、主発光部１１０の消灯直後に、補助発光部１２５から白色の光が出射される。したがって、図１１に示すように、人が、緑、黄、赤、青を認識し易くなり、物を見分け易くなる。ステップＳ１が完了すると、ステップＳ２に移行し、制御部１７０が、タイマ１７２に基づいてステップＳ１の制御を行ってから所定時間が経過したか否かを判定する。ステップＳ２で否定判定されると、ステップＳ２以下が再度実行される。
【００５１】
他方、ステップＳ２で肯定判定されると、ステップＳ３に移行して、制御部１７０が、短波長発光部駆動回路のスイッチ部１７６のオン制御を維持する反面、長波長発光部駆動回路のスイッチ部１７７のオフ制御を実行する。その結果、長波長光発光部１３２が消灯する一方、短波長光発光部１３１の発光は、維持される。上記所定時間は、人の目が暗所に順応するまでに要する時間、具体的には、３０分から１時間程度の時間に設定されると好ましい。この設定により、照明装置１０１は、主光が消失した後の初期に色の判別を行い易くて、暗順応が進んだ状態で明るく感じられる補助光を出射することができる。
【００５２】
ステップＳ３が終了すると、ステップＳ４に移行する。ステップＳ４では、制御部１７０が、操作部１７４から主発光部１１０の駆動を表す信号を受けたか否か判定する。ステップＳ４で否定判定されると、ステップＳ４以下が実行される。他方、ステップＳ４で肯定判定されると、制御部１７０が、短波長発光部駆動回路のスイッチ部１７６のオフ制御、主発光部駆動回路のスイッチ部１７５のオン制御、及び二次電池充電回路のスイッチ部１７８のオン制御を実行し、制御がエンドになる。
【００５３】
ステップＳ３が終了した後、二次電池１４５に蓄えられた電力は、放電と共に徐々に減少し、やがて、電力が短波長光発光部１３１に供給されなくなり、短波長光発光部１３１が消灯する。ステップＳ３の制御の終了後、制御部１７０が主発光部１１０の駆動を表す信号を長い時間を経ずに受けると、短波長光発光部１３１が消灯する前に主発光部１１０が発光する。他方、ステップＳ３の制御の終了後、制御部１７０が主発光部１１０の駆動を表す信号を長い時間を経た後に受けると、短波長光発光部１３１が消灯した後に主発光部１１０が発光する。
【００５４】
図１２は、光を出射する発光部がＬＥＤの場合における図５に対応するグラフである。図１２に示すように、第２実施例の光も、第１実施例の光と同様に、光源１０の消灯直後の期間において、色の見分け特性に優れ、残光時間の末期の期間において、明るさ感に優れる。
【００５５】
尚、本開示は、上記実施形態およびその変形例に限定されるものではなく、本願の特許請求の範囲に記載された事項およびその均等な範囲において種々の改良や変更が可能である。
【００５６】
例えば、照明装置が、商用電源から電力を受ける場合において、制御部が停電によって商用電源からの電力を受けられなくなった場合、制御部が二次電池から電力を受けることによって、図９に示す制御を実行するようにしてもよい。この場合、停電後の初期の期間において白色の光が出射されるため、人が、色を明確に認識し易くて、懐中電灯や蝋燭等を探し易くなる。
【００５７】
また、図９に示す例では、ステップＳ３の制御の後、制御部１７０が主発光部１１０の駆動を表す信号を受けるまで、制御部１７０が、短波長光発光部１３１の消灯制御を行わない場合について説明した。しかし、制御部は、ステップＳ３の制御の終了後から所定時間経過すると、短波長光発光部１３１の消灯制御を行うようにしてもよい。又は、外装装置が二次電池のＳＯＣ（State Of Charge；残容量）を特定するＳＯＣ特定部を有してもよい。そして、制御部が、ステップＳ３の制御の終了後においてＳＯＣ特定部からの信号に基づいて二次電池のＳＯＣが満充電の半分等の所定の残容量以下になったと判断したときに、短波長光発光部１３１の消灯制御を行うようにしてもよい。
【００５８】
なお、補助発光部が、電力供給で発光する短波長光発光部と、電力供給で発光する長波長光発光部を備える場合においても、短波長光が、青緑から緑色に発光のピークをもつ光であると好ましく、長波長光が橙から赤色に発光のピークをもつ光であると好ましい。また、長波長光発光部が発する長波長光も、短波長側の半値波長が５８０ｎｍ以上の光であると好ましい。
【００５９】
また、照明装置は、短波長蓄光部と長波長蓄光部を備え、車両の内部に取り付けられてもよい。そして、制御部が、車両のドアが開かれたとき主発光部を発光させる一方、ドアが閉じられたとき主発光部を消灯させる制御を行ってもよい。
【００６０】
また、照明装置は、主光を出射する主発光部、短波長蓄光部、長波長蓄光部、電力供給によって短波長光を出射する短波長光発光部、及び電力供給によって長波長光を出射する長波長光発光部を備えてもよい。また、外装装置は、短波長蓄光部、長波長蓄光部、及び補助発光体取付部を備えてもよい。そして、補助発光体取付部には、電力供給によって短波長光を出射する短波長光発光部と電力供給によって長波長光を出射する長波長光発光部を含む補助発光体が取り付けられてもよい。また、この場合、補助発光体は、一つの一体の発光体からなってもよい。又は、補助発光体は、短波長光発光部を含む第１発光体と、第１発光体とは別体に構成され、長波長光発光部を含む第２発光体を備えてもよい。
【００６１】
最後に、本開示の照明装置の技術的意義について説明する。主発光部が消灯した後の補助光であって、短波長光とその短波長光よりも波長が長い長波長光の両方を含む期間が存在する補助光において、両光の残光時間を変えるという構成は、決して容易想到な構成ではない。詳しくは、照明において、出射される光が時間と共に変動すると、ユーザが違和感を覚える虞がある。したがって、そのような光の変動は、回避されるのが自然であり、両光の残光時間は、同一の時間に調整されるのが自然である。しかしながら、出射される光が時間と共に変動しても、本開示の補助光のように、発せられる光の波長を時間と共に短波長側に変動させると、ユーザに悪影響が及ぼすことがない。更には、ユーザに悪影響を及ぼすことがないばかりか、ユーザが、主光が消失した後の初期に色の判別を行い易いという顕著な作用効果を導出でき、暗順応が進んだ状態で明るく感じられるという別の顕著な作用効果も導出できる。
【符号の説明】
【００６２】
１,１０１  照明装置、  １０  光源、  ２０  外装装置、  ３１  短波長蓄光部、  ３２  長波長蓄光部、  ４０  カバー、  １１０  主発光部、  １２５  補助発光部、  １３１  短波長光発光部、  １３２  長波長光発光部、  １４５  二次電池、  １７０  制御部、  ａ  長波長光の短波長側の半値波長。
【図１】
2019129114.tif 000003
【図２】
2019129114.tif 000004
【図３】
2019129114.tif 000005
【図４】
2019129114.tif 000006
【図５】
2019129114.tif 000007
【図６】
2019129114.tif 000008
【図７】
2019129114.tif 000009
【図８】
2019129114.tif 000010
【図９】
2019129114.tif 000011
【図１０】
2019129114.tif 000012
【図１１】
2019129114.tif 000013
【図１２】
2019129114.tif 000014